【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
複数のヘッダ列に配置された複数のヘッダ接点を有するヘッダに結合されるためのコネクタであって、各ヘッダ列のヘッダ接点は所定の配置に信号接点と接地接点とを有し、前記コネクタは前記ヘッダに補完的であって、ハウジングと、各ヘッダ列に対応するコネクタ列であって各コネクタ列はハウジングに設けられてコネクタを形成する半組立として構成され、複数のコネクタ接点であってコネクタ列の各コネクタ接点がヘッダ接点に対応しているコネクタ接点、コネクタ列の各コネクタ接点をしっかりと保持する列ブロック、及びコネクタ列のコネクタ接点を隣接するコネクタ列から電気的にシールドするための列シールドを有し、この列シールドは、ほぼ平坦であり、それに対してほぼ直角に延びる少なくとも１つのクリップを有し、各クリップは前記列シールドに位置されて前記コネクタ列のコネクタ接点と結合し、それによって前記クリップは、前記列シールドをコネクタ列に固定するコネクタ列とを具備するコネクタ。
【請求項２】
各クリップは、前記列シールドに位置されて前記ヘッダ接点の接地接点に対応するコネクタ列にコネクタ接点を結合する前記請求項２記載のコネクタ。
【請求項３】
各コネクタ接点は、柄を有し、前記列シールドは、各結合されるコネクタ接点のための1対のクリップを有し、前記対のクリップは、前記列ブロックの反対側の前記コネクタ接点の柄に結合する前記請求項２記載のコネクタ。
【請求項４】
前記列シールドは、ほぼ平坦であり、それに対してほぼ直角に突出する少なくとも１つの位置に少なくとも１つのビームを有し、各ビームは前記列シールドに位置して、少なくとも前記コネクタが前記ヘッダに結合されないときに前記コネクタ列のコネクタ接点と電気的に接触する請求項１記載のコネクタ。
【請求項５】
各ビームは、前記ヘッダ接点の前記接地接点に対応するコネクタ列のコネクタ接点と電気的に接触する列シールドに位置する前記請求項５記載のコネクタ。
【請求項６】
各ヘッダ接点は、ピン形の接点であり、各コネクタ接点は、前記コネクタが前記ヘッダと結合されるときにそれらの間に対応するピン形のヘッダ接点を受入れるための近接する端に１対のとがった先を有する音さ形接点であり、そして各ビームは、少なくとも前記コネクタが前記ヘッダに結合されないときに、前記列シールドに位置して、前記コネクタ列のコネクタ接点と電気的に接触し、前記ビームはそれによって、もし前記対応する接点が充分に広いならば、前記コネクタが前記ヘッダに結合されるときに、受入れられる対応するピン形のヘッダ接点と接触するヘッダ接点を有する前記請求項５記載のコネクタ。
【請求項７】
各ビームは、前記結合されるコネクタ接点に関してほぼ長手方向に延びる前記請求項５記載のコネクタ。
【請求項８】
各コネクタ接点は、前記コネクタが前記ヘッダに結合されるときに対応するヘッダ接点と接触するための末端部を有し、前記列シールドは、前記コネクタ列の外側コネクタ接点の外側縁間にほぼ横方向に延び、前記コネクタ接点の末端部に向かって前記コネクタ接点の近い方の端からほぼ長手方向に延び、それによって列シールドは、前記隣接するコネクタ列における対応するコネクタ接点からコネクタ列の各コネクタ信号接点をほぼ完全に物理的に分離する前記請求項１記載のコネクタ。
【請求項９】
各コネクタ列のために、そのコネクタ接点は、前記列ブロックの部分的に埋め込まれる前記請求項１記載のコネクタ。
【請求項１０】
各コネクタ接点は、サブストレート及び前記コネクタが前記ヘッダに結合されるときに対応するヘッダ接点と接触するために反対側の近い方の末端部を有し、各コネクタ列のために、その各コネクタ接点が前記列ブロックがそのコネクタ接点の前記末端部及び近い方の端を露出するように列ブロックに埋め込まれる前記請求項１０記載のコネクタ。
【請求項１１】
各ヘッダ接点は、ピン形の接点であり、各コネクタ接点は、前記コネクタが前記ヘッダに結合されるときに、それらの間に対応するピン形のヘッダ接点を受入れるための、遠い方の端における柄と近い方の端における１対の尖った先端とを有する音さ形状の接点である前記請求項１記載のコネクタ。
【請求項１２】
各音さ形状の接点は、前記柄の向こうの末端部に、サブストレートのスルーホール内に挿入されるための柔軟性部分の１つ及びそれに接続されたワイヤを受入れるためのパッドを有する前記請求項１２記載のコネクタ。
【請求項１３】
前記コネクタが、回路サブストレートに設けられるサブストレート面と、それに結合されるときに前記コネクタが前記ヘッダの接点を受入れるヘッダ面とを有し、前記サブストレート面は前記ヘッダ面とほぼ対向している前記請求項１記載のコネクタ。
【請求項１４】
前記ハウジングは、前記コネクタの各コネクタ列に対応する列区分を有し、各列区分は前記コネクタ接点及び前記コネクタ列の列シールドのための空間を有する前記請求項１記載のコネクタ。
【請求項１５】
各コネクタ接点は、前記コネクタが前記ヘッダに結合されるときに、対応するヘッダ接点が接触されるような近接する端を有し、コネクタ列がそのようなコネクタ列のコネクタ接点の近接する端が先ず受入れられるように各列区分に挿入される前記請求項１５記載のコネクタ。
【請求項１６】
コネクタ列は、そのようなコネクタ列の前記列ブロックが前記列区分及びハウジングの外部に残されているように各列区分に挿入される前記請求項１５記載のコネクタ。
【請求項１７】
各コネクタ接点は、そのようなコネクタ接点がサブストレートに設けられるような末端部を有し、コネクタ列がそのようなコネクタ列のコネクタ接点の近接する端が前記列区分及びハウジングの外部に残されるように各列区分に挿入される前記請求項１５記載のコネクタ。
【請求項１８】
各列区分は、前記挿入されたコネクタ列の各コネクタ接点のための室と前記挿入されたコネクタ列の列シールドのための室とを規定し、各列区分内に前記ヘッダ接点の信号接点に対応するコネクタ接点のための各室は前記列シールドのための前記室から分離されており、各列区分内に前記ヘッダ接点の接地接点に対応するコネクタ接点のための各室は、前記列シールドのために前記室を開放しており、前記コネクタが前記ヘッダに結合されるときにその接地接点が前記列シールドによって接触されるようにする前記請求項１５記載のコネクタ。
【請求項１９】
各列ブロックは、１対の対向する押圧するショルダを有し、それによって前記コネクタがそのようなコネクタの列ブロックの押圧ショルダに押圧力を加えることによって基盤をなすサブストレート内にプレス嵌めされる前記請求項１記載のコネクタ。
【請求項２０】
複数のヘッダ列に配置された複数のヘッダ接点を有するヘッダに結合されるためのコネクタであって、各ヘッダ列のヘッダ接点は、所定の配置に信号接点と接地接点とを有し、前記コネクタは前記ヘッダに補完的であって、ハウジングと、各ヘッダ列に対応するコネクタ列であって各コネクタ列はハウジングに設けられてコネクタを形成する半組立として構成され、複数のコネクタ接点であってコネクタ列の各コネクタ接点がヘッダ接点に対応しているコネクタ接点、コネクタ列の各コネクタ接点をしっかりと保持する列ブロック、及びコネクタ列のコネクタ接点を隣接するコネクタ列から電気的にシールドするための列シールドを有し、この列シールドは、ほぼ平坦であり、それに対してほぼ直角に突出する少なくとも一部分に少なくとも１つのビームに有し、各ビームは、前記列シールドに位置して、少なくとも前記コネクタがヘッダと結合されないときに、前記コネクタ列のコネクタ接点と電気的に接触し、さらに、各ヘッダ接点は、ピン形の接点であり、各コネクタ接点は、前記コネクタが前記ヘッダに結合されるときに、それらの間に対応するピン形のヘッダ接点を受入れるための、近い方の端における１対の尖った先端を有する音さ形状の接点であり、さらに、各ビームは、少なくとも前記コネクタが前記ヘッダに結合されないときに、前記列シールドに位置して、前記コネクタ列のコネクタ接点の1対の尖った先端と電気的に接触し、前記ビームはそれによって、もし前記対応する接点が充分に広いならば、前記コネクタがヘッダと接合されるときに、受入れられるように前記対応するピン形のヘッダ接点と接触するコネクタ列とを具備するコネクタ。
【請求項２１】
複数のヘッダ列に配置された複数のヘッダ接点を有するヘッダに結合されるためのコネクタであって、各ヘッダ列のヘッダ接点は、所定の配置に信号接点と接地接点とを有し、前記コネクタは前記ヘッダに補完的であって、ハウジングと、各ヘッダ列に対応するコネクタ列であって各コネクタ列はハウジングに設けられてコネクタを形成する半組立として構成され、複数のコネクタ接点であってコネクタ列の各コネクタ接点がヘッダ接点に対応しているコネクタ接点、コネクタ列の各コネクタ接点をしっかりと保持する列ブロック、及びコネクタ列のコネクタ接点を隣接するコネクタ列から電気的にシールドするための列シールドを有し、前記ハウジングは、前記コネクタの各コネクタ列に対応する列区分を有し、各列区分は、前記コネクタ接点及び前記コネクタ列の列シールドのための空間を有し、さらに各コネクタ接点は、前記コネクタが前記ヘッダと結合されるときに、対応するヘッダ接点が接触されるような近接する端を有し、前記コネクタ列がそのようなコネクタ列のコネクタ接点の近接する端が先ず受入れられるように、各列区分に挿入されるコネクタ列とを具備するコネクタ。